(57)【要約】      （修正有）【課題】不法侵入などの緊急を要する事態の発生に対して多くの人々にその情報を通知する。【解決手段】カメラからの映像信号をプログラムされたコンピュータへ入力し連続的にデジタル変換された画像データを動体検知機能の監視によって検知された場合、指定されたサーバへその瞬間の連続画像の自動送信を行うと同時に、第１レベル通知先対象者に対してメール送信を実行する。このメール上に画像又は連続画像をサーバからロード実行するリンクボタンと、サーバへ登録されたこのカメラに対応した第２レベル通知先対象者リストへ一斉メール配信を行うためのリンクボタンを表示する事で、第１レベル通知先対象者が連続画像とライブカメラ機能によって緊急と判断された場合、第２レベル通知先対象者リストへ一斉メール配信を行うリンクボタンを押下する事で、監視地域に済む居住者又は関係者等に対して注意喚起を促すための一斉メール配信を実行する。【選択図】  図２
2005267586.tif 000002
【特許請求の範囲】
【請求項１】
第２レベル通知先対象者メールアドレスリストのリスト管理者に対してリストＩＤとリスト登録パスワードとリスト削除パスワードを発行する手段と、
リストＩＤとリスト削除パスワードによるＷＥＢサーバへの認証接続によって、管理する第２レベル通知先対象者メールアドレスリストのメンバーのリスト閲覧と削除権限と２つのパスワードの変更権限をリスト管理者へ付与する事を特徴とする手段と、
所有する監視カメラの管理者情報（住所、氏名、メールアドレス、カメラ設置場所）をデータベースへ登録したカメラ管理者に対して、カメラＩＤとカメラパスワードを発行する手段と、
監視カメラから入力された映像信号によって動体検知機能と連続画像の送信機能を具備するソフトウエアを装備するコンピュータを、
カメラＩＤとカメラパスワードと１つ以上の第１レベル通知先対象者メールアドレスをソフトウエアが表示するダイアログへの入力を促し、ここで第１レベル通知先対象者メールアドレスをリストＩＤ値キーの第２レベル通知先対象者メールアドレスリストに加入登録する場合、第１レベル通知先対象者メールアドレスとリストＩＤとリスト登録パスワードを併せて入力完了することで広域ネットワーク上のデータベースにて照合登録後、緊急事態通知システム利用が可能となる事を特徴とする手段と、
動体検知した瞬間に、監視カメラからの映像を圧縮して作成された連続画像を指定するファイルサーバへ転送する手段と、
動体検知した瞬間に、メール配信アプリケーションサーバへコンピュータからカメラＩＤをパラメータとして送信する手段と、
カメラＩＤを受信したメール配信アプリケーションサーバを、
カメラＩＤ、連続画像ロードを行うリンクボタン、第２レベル通知先対象者へ一斉メール送信するためのリンクボタンを表示するメールを作成し、カメラＩＤに対してデータベースに登録された第１レベル通知先対象者メールアドレス宛へ送信する手段と、
メール受信した第１レベル通知先対象者の携帯端末を、
第１レベル通知先対象者の判断によって、第２レベル通知先対象者へメール送信するためのリンクボタンが押下された場合、メール配信アプリケーションサーバへカメラＩＤと自らのメールアドレスを送信する手段と、
受信したメール配信アプリケーションサーバは受信したカメラＩＤに対する第２レベル通知先対象者メールアドレスリストを検索し、発生した時刻と発信者となる第１レベル通知先対象者情報を表示する緊急通知メールを作成し、検索された第２レベル通知先対象者全員宛てに一斉送信を実行することを特徴とする緊急事態通知システム。
【請求項２】
請求項１記載のコンピュータはソフトウエア起動時、ハブノードへ広域ネットワークを通じてソケット接続を行い、カメラＩＤをパラメータとして送信する手段と、
ソケット接続されたハブノードは受信したカメラＩＤをキーとした双方向ソケット接続処理を作成する手段と、
双方向ソケット接続処理を通じて、定期間隔にてハブノード側ソケット接続確認を行う手段と、
コンピュータに装備されたプログラムにおいて正常終了時、双方向ソケット接続処理を通じて終了を告げるパラメータを送信する手段と、
ハブノードが前ステップ記載の終了パラメータを受信すると双方向ソケット接続処理をメモリから解放する手段と、
ハブノード側で終了パラメータを受信無しにソケット接続が切断された場合、切断を確認した時からカウントをはじめ、コンピュータ側からの再接続されず、設定されたカウント値を超えると、ハブノードからカメラＩＤに対する監視カメラ管理者へシステムトラブル発生を示すメールを送信するようにメール配信アプリケーションサーバへ命令する事を特徴とする緊急事態通知システム。
【請求項３】
第１レベル通知先対象者の所有する携帯端末から中継サーバへカメラＩＤとカメラパスワードをパラメータ送信する手段と、
受信した中継サーバは、カメラＩＤをキーとして持つ携帯端末とのソケット接続処理を作成し、接続状態を保持する手段と、
カメラＩＤのコンピュータがソケット接続した請求項２記載のハブノードへ中継サーバ自身のＩＰアドレスを送信する手段と、
ハブノードにて、カメラＩＤのコンピュータと接続されている請求項２記載の双方向ソケット接続処理を通じてコンピュータへ中継サーバのＩＰアドレスを転送する手段と、
受信したＩＰアドレスへコンピュータからソケット接続を行い、パラメータとしてカメラＩＤを送信後、続けてカメラからの映像信号を圧縮しソケット接続を通じて中継サーバへ圧縮ライブ映像データ送信する手段と、
中継サーバにて受信したカメラＩＤからキー検索によって、先に作成された携帯端末とのソケット接続処理を取得し、このソケット接続処理を通じて圧縮ライブ映像データが携帯端末へ配信される手段によって、
ファイアウォール内に設置されたローカルネットワークに設置されたコンピュータからでも第１レベル通知先対象者に対してライブ映像の提供を可能にし、監視対象の状況をより適確に判断可能とする事を特徴とする緊急事態通知システム。
【発明の詳細な説明】
【発明の詳細な説明】
【技術分野】
【０００１】本発明は、監視カメラ、プログラムされた映像配信と動体検知センサー機能を持つコンピュータ、データベースサーバ、ＷＥＢサーバ、メール送信サーバ、ハブノードを用いた緊急事態通知システムとサービスに関する。
【背景技術】
【０００２】従来防犯を用いた監視カメラを用いたシステムは、メールにてカメラ管理者レベル又は警備会社までしか通知されないため、どうしても隣人等町の居住者までには注意の喚起がリアルタイムに行われないため２次被害に及ぶ危険性が増大する（例えば、特開２００１−３２５６７８号公報参照）。【０００３】  ファイアウォールの内側にあるローカルネットワークに接続された監視カメラを接続するコンピュータからでは、ファイアウォールの設定変更を行いこのコンピュータを公開しなければライブ映像配信が行う事が出来ない。
【発明が解決しようとする課題】
【０００４】不法進入、障害などの緊急事態発生の通知が緊急事態の判断を行う第１次レベルとなる監視カメラ管理者等の通知者までが知るだけであったが、第１レベルと町や地域レベル、集合住宅全体の居住者である第２レベルの通知者に分ける事で、多くの人が犯罪，災害の発生を認識する手段を提供し、地域全体がリアルタイムに正確な情報を把握できるようにする事で、２次３次の緊急事態発生を抑止するため注意を喚起する事を可能にする。
【課題を解決するための手段】
【０００５】上記記載を実現するために、通知する町や監視地域に係わる携帯端末などを所有する人々の第２レベル通知先対象者グループを作り、代表者を決める。この代表者をグループメンバーのメールアドレスリストの管理者としてリスト管理者情報（住所、氏名、郵便番号、連絡先）をＷＥＢサーバ通じてブラウザからデータベースへ登録を行う。郵送又は電子メールにて緊急事態通知システム提供者からリストＩＤとリスト登録パスワードとリスト削除パスワードを、リスト管理者に対して発行される。
リスト管理者は、リストＩＤとリストメンバー削除パスワード用いてＷＥＢサーバへブラウザによる認証接続を行い、自ら管理するリストＩＤ値の第２レベル通知先対象者メールアドレスリストからのメンバー削除とメンバー氏名の閲覧、２つのパスワードの変更のみの実行が許可され，メンバー登録は出来ない。
【０００６】監視カメラを設置し緊急事態通知システム利用者となるために、ＷＥＢサーバへブラウザを通じて、監視カメラ管理者情報（氏名、住所、連絡先、メールアドレス、カメラ設置場所）をデータベースへ登録する事で、郵送又は電子メールにて緊急事態通知システム提供者からカメラ１台毎にカメラＩＤとカメラパスワードが発行され、監視カメラを接続したコンピュータに装備する動体検知機能を持つ連続画像送信ソフトウエアからカメラＩＤとカメラパスワードと第１次レベル通知先対象者メールアドレスの入力を行う。もし、第１次レベル通知先対象者メールアドレスをリストＩＤ値キーの第２レベル通知先対象者メールアドレスリストへ加入登録させる場合、そのリスト管理者へリストＩＤとリスト登録パスワードの問い合わせを行い、取得したリストＩＤとリスト登録パスワードを先の第１次レベル通知先対象者メールアドレスと併せて入力完了する事で、ソフトウエアが広域ネットワーク上のアプリケーションサーバへ自動接続を行い、先の入力内容が送信されデータベースにて照合登録される事で緊急事態通知システムの利用が許可される。
【０００７】当人がソフトウエアから登録したリストＩＤをキーとする第２レベル通知先対象者メールアドレスリストからの脱退、又は別の第２レベル通知先対象者メールアドレスリストへの登録は、
【０００６】同様に自身の管理するコンピュータのソフトウエアのメニューダイアログから再入力する事で更新可能である。
【０００８】監視カメラから映像信号が入力されたコンピュータにて動体検知された場合、その瞬間の圧縮された連続画像を広域ネットワーク通じて指定されたファイルサーバへ転送を行うと同時に、メール送信アプリケーションサーバへカメラＩＤと第１レベル通知先対象者のメールアドレスをパラメータとして送信を行う。
【０００９】カメラＩＤと第１レベル通知先対象者のメールアドレスを受信したアプリケーションメール送信サーバは、カメラＩＤとファイルサーバへ転送された画像データをロードするためのリンクボタンと第２レベル通知先対象者へ通知を行うためのリンクボタンを表示するメールを作成し、第１レベル通知先対象者のメールアドレスへメール送信を行う。
【００１０】メールを受信した第１レベル通知先対象者は、ファイルサーバから連続画像をロードする事で、現場状況の確認を行い、緊急事態の度数を判断する。
更なる緊急事態度数の判断のために、コンピュータのソフトウエアが具備するライブカメラ機能によりライブ映像の提供を行う。
【００１１】ファイアウォールの内側にあるローカルネットワークに接続された監視カメラを接続するコンピュータからでも、ファイアウォールの設定を変えずにライブ映像配信を可能にするために、カメラＩＤのコンピュータ側からＳＳＨ暗号化通信のポート番号を使用したソケット接続をハブノードへ行い、ハブノードにてソケット接続維持するためにカメラＩＤをキーとする双方向ソケット接続処理を作成する。
第１レベル通知対象者の持つ携帯端末からカメラＩＤとカメラパスワードを中継サーバへパラメータ送信を行い、中継サーバは受信したカメラＩＤとカメラパスワードの認証をデータベースへ問い合わせる事で確認を行い、映像データを返信するための携帯端末とのカメラＩＤをキーとするソケット接続処理を作成し、カメラＩＤと中継ノードのＩＰアドレスをハブノードへ送信する。
既に作成されたハブノードのカメラＩＤ値の双方向ソケット接続処理を通じて、中継ノードのＩＰアドレスを送信する事で取得したコンピュータは、ライブ映像の送信先となる中継サーバのＩＰアドレスへソケット接続を行い、カメラＩＤと圧縮ライブ映像データの送信を実行する。先に作成された携帯端末とのソケット接続処理をキーとなるカメラＩＤによって検索取得され、圧縮ライブ映像データをソケット接続処理へ供給する事で携帯端末へライブ配信が可能となる。
ハブノードと中継サーバは同一のノード上にて運用されても良い。この場合、携帯端末からの接続はハブノードへと行われ、中継サーバＩＰアドレスの送信とコンピュータ側での新たな中継サーバＩＰアドレスへの接続が不要になり、ハブノードへの映像データの返信だけで済む。その後、携帯端末への映像データの返信は先と同様の処理となる。
【００１２】第１レベル通知先対象者の判断によって、受信したメールに表示する第２レベル通知先対象者へ通知を行うためのリンクボタンを押下する事で、カメラＩＤとセキュリティ上必要があれば、カメラパスワードをパラメータとしてアプリケーションメール送信サーバへ送信を行う。
【００１３】アプリケーションメール送信サーバは受信したカメラＩＤに該当する第２レベル通知先対象者メールアドレスをデータベースから読み込み、カメラＩＤの管理者情報とカメラ設置場所、必要があれば連続画像ロードリンクボタンを表示するメールを作成し一斉配信を行う。
【００１４】不審者によるネットワークケーブルの切断監視のために、ハブノードは各コンピュータとのソケット接続を定期的に接続状態の監視を行い、コンピュータのソフトウエアが正常終了する事でハブノードへ終了信号の送信が行われる。もし、終了信号無しにソケット接続が切断された場合、切断を検知した時からカウントをはじめ、コンピュータ側からの再接続されず、設定したカウントを超えると、ハブノードからアプリケーションメール送信サーバへカメラＩＤのカメラ管理者へシステムトラブル発生を示すメールを送信するように命令を行う。
【発明実施の形態】
【００１５】図１は、この発明の監視通知システム全体ネットワーク接続図をイメージするものである。
本発明の実施形態では、通知する町や監視地域に係わる人々の持つ携帯端末１，２，３，４とし、この携帯端末のメールアドレスを第２レベル通知先対象者メールアドレスリストとしてのリスト管理者を決める。決定されたリスト管理者のリスト管理者情報（住所、氏名、郵便番号、連絡先）をＷＥＢサーバ通じてブラウザからデータベースへ登録を行う事で、郵送又は電子メールにて緊急事態通知システム提供者からリストＩＤとリスト登録パスワードとリスト削除パスワードを、リスト管理者に対して発行される。リスト管理者に対して登録期間による課金を行う方法がある。
【００１６】リスト管理者は、リストＩＤとリストメンバー削除パスワード用いてＷＥＢサーバへブラウザによる認証接続を行い、自ら管理するリストＩＤの第２レベル通知先対象者メールアドレスリストからのメンバー削除とメンバー氏名、住所の閲覧、２つのパスワードの変更のみの実行が許可され，各メンバーの登録は、管理者からは出来ず、メンバー自身が行う。ここでリスト管理者が、あるメンバーを削除した場合、再びこのメンバーが勝手に再登録しないように、リスト登録パスワードを変更する事によって防ぐものである。
【００１７】監視カメラを設置する緊急事態通知システムサービス利用者（カメラ管理者６，７，８）は、カメラ管理者の住所、氏名、連絡先の身元情報と課金に対する支払方法とカメラ台数を、ＷＥＢサーバを通じてデータベースへ登録する。
事務所、店舗、住居等の監視対象に対して設置された監視カメラを、動体検知機能、連続画像送信機能、ライブ映像配信機能を具備するソフトウエアを装備するコンピュータ９、１０，１１へ接続し、監視カメラ１台ごとにカメラＩＤとカメラパスワードを緊急事態通知システム提供者から郵送等の手段によって通知され、ソフトウエア初起動時に表示されるダイアログ又はメニューダイアログの所定の位置へ、発行されたカメラＩＤとカメラパスワードと１つ以上の第１レベル通知先対象者メールアドレスをコンピュータ９、１０，１１へ入力完了すると、広域ネットワーク上のデータベースにて照合登録され緊急事態通知システムの利用が許可される。
第１レベル通知先対象者メールアドレスがリストＩＤをキーとする第２レベル通知先対象者メールアドレスリストへ加入させる場合、加入するリスト管理者からリストＩＤとリスト登録パスワードを問い合わせ、取得したリストＩＤとリスト登録パスワードを先の第１レベル通知先対象者メールアドレスと併せて，ソフトウエア初起動時に表示されるダイアログ又はメニューダイアログの所定の位置へ入力完了する事で、広域ネットワーク上のデータベースにて照合登録され緊急事態通知システムの利用が許可される。
照合登録完了から利用カメラ台数とサービス利用期間によって課金が行われる。
【００１８】コンピュータ９、１０，１１のソフトウエアが起動されると、ハブノード１４へソケット接続を行う。ハブノード１４では、コンピュータ９、１０，１１から接続される度に、受信したカメラＩＤをキーとしたソケット接続処理を作成し、コンピュータ９、１０，１１側から終了信号を受信するまで定期的に信号の送信を行う。何らかの事故又は意図的なケーブル切断等の事象によって、ソケット接続が切断された場合、再度コンピュータ９、１０，１１側からソケット接続を行う。この場合ハブノード１４が、ソケット切断を検知してからカウントを開始し設定したカウント内に再接続されなかった場合、ソケット接続処理はキーとなるカメラＩＤからデータベース１３へ登録されたカメラ管理者のメールアドレスへシステムトラブルを通知するメール送信を実行する事で監視カメラ管理者は何らかのトラブルが起きたことを認知する事が出来る。
【００１９】図２は、この発明の動体検知からの時系列によるシステム間の通信過程をイメージするものである。
監視カメラからの入力映像をコンピュータ９のメモリへ一定間隔にて一時的に保存し、各画像の同位置画素の濃度変化を監視する事で動体検知されると、この瞬間の連続画像データを圧縮処理し、ファイルサーバ１５へ転送保存されると同時に、メール送信アプリケーションサーバ１６へカメラＩＤとメール送信先となる１人以上の第１レベル通知先対象者のメールアドレスをパラメータとした送信が行われる。
【００２０】メール送信アプリケーションサーバ１６は、受信したカメラＩＤから対応する第２レベル通知先対象者へ一斉メール送信を行うパラメータ付ＵＲＬ表示リンクボタンと先に転送された連続画像データをロードするパラメータ付ＵＲＬ表示リンクボタンとカメラ監視による動体検知した時間を表示するメールを作成し、第１レベル通知先対象者へ動体検知を告げるべく送信を実行する。
【００２１】図３は、この発明の携帯端末からのライブカメラ映像の要求から映像データの取得までを時系列によるシステム間のデータ通信過程をイメージするものである。携帯端末にてメール受信した第１次レベル通知先対象者は連続画像ロードするリンクボタンを押下する事で、センサー検知した瞬間の連続画像をファイルサーバ１５からロードされ確認し、更にリアルタイム状況を確認する場合は、携帯端末から中継サーバ１７へカメラＩＤのライブ映像の要求を行う事で、中継サーバが自らのＩＰアドレスとカメラＩＤをハブノード１４へ送信を行う。受信したハブノード１４は、受信したカメラＩＤをキーとするソケット接続処理を検索し、返されたソケット接続処理を通じてカメラＩＤのコンピュータへ中継サーバ１７のＩＰアドレスを送信する。コンピュータ９は受信したＩＰアドレスへソケット接続を行いカメラＩＤ送信後、圧縮された画像データを連続的に配信する事で中継サーバを経由して携帯端末はカメラＩＤのライブ映像を受信可能となり、この手段によってファイアウォールの内側にあるローカルネットワークに接続された監視カメラに接続されたコンピュータからライブ映像取得が可能となる。中継サーバとハブサーバが同一のノード上にて運用する事も可能である。
【００２２】以上の事象によって第１レベル通知先対象者の判断で緊急と判断された場合、メールに表示された第２レベル通知先対象者へ一斉メール送信を行うリンクボタンを押下する事で、カメラＩＤに対応するカメラ管理者情報と発生時刻を表示した緊急事態を告げるメールを第２レベル通知先対象者のメールアドレスをデータベースから読み込み一斉配信を行う事で緊急事態地域にリアルタイムに状況を告知する事が可能となる。
【発明の効果】
【００２３】以下の効果が期待できます。
・不法侵入、窃盗などの犯罪に対して、その家屋だけではなく地域全体の犯罪として認識できるようにする手段を提供する事で、センサー検知された瞬間、その家屋の住人が不在でも、犯人に知られずにその地域の人の目が注がれる事となってしまうため、あえてそのシステムが導入されている事を告知する事で犯罪抑制が期待できる。
・在宅において、不法侵入等の犯罪においても携帯電話のメールのリンクボタンを押下するだけでその地域の住民に緊急事態を告知する事も可能となる。
・所有するパーソナルコンピュータに提供されたソフトウエアをインストールし、カメラを接続するだけの、既存設備でサービスが利用できるため非常に低コスト化をはかる事が出来る。
・監視カメラの接続されたパーソナルコンピュータがインターネットを通じて外部サーバとの送受信を行う際、既存使用ポートでのローカルネットワーク内部から外部サーバへのアクセスとなっているため、標準のファイアウォールやルーターの設定での使用ならば、ファイアウォールやルーター設定を変えずにセキュリティ低下の無いライブ映像の受信がインターネットを通じて可能になる。
【図面の簡単な説明】
【００２４】
【図１】緊急監視システムネットワーク接続図である。
【図２】時系列による緊急監視システム間動作過程図
【図３】時系列によるライブ映像配信システム間データ送信過程図
【符号の説明】
【００２５】１．メール受信＆ライブ映像受信機能を具備する携帯端末
２．メール受信＆ライブ映像受信機能を具備する携帯端末
３．メール受信＆ライブ映像受信機能を具備する携帯端末
４．メール受信＆ライブ映像受信機能を具備する携帯端末
９．監視カメラと動体検知機能＆連続画像送信機能＆ライブカメラ機能を具備するコンピュータ
１０．監視カメラと動体検知機能＆連続画像送信機能＆ライブカメラ機能を具備するコンピュータ
１１．監視カメラと動体検知機能＆連続画像送信機能＆ライブカメラ機能を具備するコンピュータ
１２．ＷＥＢサーバ
１３．データベース
１４．ハブノード
１５．ファイルサーバ
１６．メール送信アプリケーションサーバ
１７．中継サーバ
【図１】
2005267586.tif 000003
【図２】
2005267586.tif 000004
【図３】
2005267586.tif 000005